(57)【要約】【課題】子機（ＰＣ）からの撮影オーダーにより撮影装置が接続されている親機（ＰＣ）での撮影終了、画像保存完了の通知を受けて、撮影された画像を子機で自動的に表示する撮影画像自動表示処理方法を提供すること。【解決手段】子機（ＰＣ）からの撮影オーダーを撮影装置が接続されている親機（ＰＣ）に登録する撮影オーダー登録ステップと、前記親機に登録された撮影オーダーにより撮影を行う撮影ステップと、前記親機の撮影終了により撮影画像データを前記親機に保存する撮影画像データ保存ステップと、保存完了を受けて前記子機へ撮影データを送る撮影画像データ出力ステップと、前記子機で送られてきた撮影画像データを表示する撮影画像表示ステップとを備え、前記子機からの撮影オーダーにより得られた撮影画像データを、撮影オーダーを行った子機のディスプレイ画面に自動的に表示する。【選択図】  図３
2004320600.tif 000002
【特許請求の範囲】
【請求項１】
子機（ＰＣ）からの撮影オーダーを撮影装置が接続されている親機（ＰＣ）に登録する撮影オーダー登録ステップと、前記親機に登録された撮影オーダーにより撮影を行う撮影ステップと、前記親機の撮影終了により撮影画像データを前記親機に保存する撮影画像データ保存ステップと、保存完了を受けて前記子機へ撮影データを送る撮影画像データ出力ステップと、前記子機で送られてきた撮影画像データを表示する撮影画像表示ステップとを備え、前記子機からの撮影オーダーにより得られた撮影画像データを、撮影オーダーを行った子機のディスプレイ画面に自動的に表示することを特徴とする撮影画像データの自動表示処理方法。
【請求項２】
子機（ＰＣ）からの撮影オーダーを親機（ＰＣ）に登録する入力装置と、前記親機に登録された撮影オーダーにより撮影を行い撮影画像を保存する記憶装置と、前記子機で、撮影画像データを表示する表示装置とを備え、前記子機の表示装置に撮影オーダーにより得られた撮影画像を自動的に表示させることを特徴とする撮影画像の自動表示処理装置。
【請求項３】
前記子機（ＰＣ）のディスプレイ画面に、子機からの撮影オーダーにより親機（ＰＣ）で取得した撮影画像データを自動的に表示させるように、コンピュータに実行させるための、撮影画像データ自動表示処理プログラムを記憶したコンピュータ読み取り可能な記録媒体。
【発明の詳細な説明】
【０００１】
【発明の属する技術分野】
本発明は、パノラマ撮影、セファロ撮影及び口腔内撮影等の撮影画像自動表示処理方法及び、その撮影画像自動表示処理方法を実施するために使用される撮影画像自動表示処理装置、並びに前記撮影画像自動表示処理方法をコンピュータに実行させるための撮影画像自動表示処理プログラムを記録したコンピュータ読み取り可能な記録媒体に関する。
【０００２】
【従来の技術】
従来のシステムでは、子機（ＰＣ）からの撮影オーダーを撮影装置が接続されている親機（ＰＣ）に登録して、親機で撮影オーダーの撮影が終了すると親機に画像が表示される。ＬＡＮ等で接続されてチェアサイドに置かれている子機は、親機での撮影終了、画像保存を受けて、撮影された被検者の撮影画像一覧を親機から呼び込んだ後、撮影画像一覧から撮影オーダーした画像を選択して表示させている。この撮影画像一覧に多くの画像がある場合、容易に目的とする画像を見つけることは困難である。また撮影画像一覧からの選択時に画像選択ミスを生じる恐れがある。このように撮影オーダーした撮影画像を子機に表示するためには、多くの作業と時間が必要となる。
【０００３】
【発明が解決しようとする課題】
本発明は、以上の状況に鑑みなされたもので、その解決しようとする課題は、子機（ＰＣ）からの撮影オーダーにより撮影装置が接続されている親機（ＰＣ）での撮影終了、画像保存完了の通知を受けて、撮影された画像を自動的に子機で表示する撮影画像自動表示処理方法を提供すること、および好適に実施できる撮影画像自動表示処理装置を提供すること、並びに、撮影画像自動表示処理方法を実行させるための撮影画像自動表示処理プログラムを記録したコンピュータ読み取り可能な記録媒体を提供することを目的とする。
【０００４】
【課題が解決しようとする手段】
請求項１に係る発明は、子機（ＰＣ）からの撮影オーダーを撮影装置が接続されている親機（ＰＣ）に登録する撮影オーダー登録ステップと、前記親機に登録された撮影オーダーにより撮影を行う撮影ステップと、前記親機の撮影終了により撮影画像データを前記親機に保存する撮影画像データ保存ステップと、保存完了を受けて前記子機へ撮影データを送る撮影画像データ出力ステップと、前記子機で送られてきた撮影画像データを表示する撮影画像表示ステップとを備え、前記子機からの撮影オーダーにより得られた撮影画像データを、子機のディスプレイ画面に自動的に表示することを特徴とする。
【０００５】
請求項２に係る発明は、子機（ＰＣ）からの撮影オーダーを親機（ＰＣ）に登録する入力装置と、前記親機に登録された撮影オーダーにより撮影を行い撮影画像を保存する記憶装置と、前記子機で、撮影画像データを表示する表示装置とを備え、前記子機の表示装置に撮影オーダーにより得られた撮影画像を自動的に表示させることを特徴とする。
【０００６】
請求項３に係る発明は、子機（ＰＣ）の前記ディスプレイ画面に、子機からの撮影オーダーにより取得した撮影画像データを自動的に表示させ、コンピュータに実行させるための、撮影画像データ自動表示処理プログラムを記憶したコンピュータ読み取り可能な記録媒体。
【０００７】
【発明の実施の形態】
以下、この発明を図面を参照しながら実施の形態を説明する。
【０００８】
図１は、この発明に係る撮影画像の自動表示処理方法を実施するために使用される自動表示処理装置のハードウェア構成の１実施例を示す図である。この自動表示処理装置は、システム全体を統括的に制御し必要な演算処理を行う中央処理装置（ＣＰＵ）１、このＣＰＵ１に接続された記憶装置２、ＣＰＵ１への入出力を管理する入出力制御部３、並びに、入出力制御部３に、それぞれ接続された入力装置４、ＬＣＤやＣＲＴディスプレイ等の表示装置５およびプリンタ等の出力装置６から構成されているコンピュータ（パソコン）システムである。
【０００９】
ＣＰＵ１は、ＯＳ（基本ソフトウェア）等の制御プログラム、後述する自動表示処理手順を規定し、子機が撮影オーダーした撮影画像データの表示を行わせる撮影画像の自動表示処理プログラム、および、撮影画像のデータを格納するための内部メモリを有している。記憶装置２は、ハードディスクやフレキシブルディスク、コンパクトディスク、光ディスク等により構成されている。入力装置４は、キーボードやマウス等のポインティングデバイスから構成されている。
【００１０】
ここで、この撮影画像の自動表示処理方法は、親機で取得した撮影画像データを子機のディスプレイ画面に自動的に表示して、子機（ＰＣ）からの撮影オーダーを撮影装置が接続されている親機（ＰＣ）に登録する撮影オーダー登録ステップと、前記親機に登録された撮影オーダーにより撮影を行う撮影ステップと、前記親機の撮影終了により撮影画像データを前記親機に保存する撮影画像データ保存ステップと、保存完了を受けて前記子機へ撮影データを送る撮影画像データ出力ステップと、前記子機で送られてきた撮影画像データを表示する撮影画像表示ステップとを備え、前記子機からの撮影オーダーにより得られた撮影画像データを、子機のディスプレイ画面に自動的に表示することを特徴とする。
【００１１】
次に、図１に示したコンピュータシステムに撮影画像の自動表示処理プログラムを実行させて撮影画像の自動表示処理を行う手順を、図２に示したフローチャートに基づいて説明する。
【００１２】
システムが起動され、子機からの撮影オーダーが親機に登録される。（ステップＳ１）登録された撮影オーダーの撮影を行う。（ステップＳ２）次ぎに撮影された撮影画像データを保存する。（ステップＳ３）この保存が完了すると親機から子機へ撮影画像データを出力する。（ステップＳ４）子機では、出力された撮影画像データを表示する。（ステップＳ５）このように子機からの撮影オーダーにより撮影装置が接続されている親機で撮影画像データを取得し保存して、保存完了を受けて子機へ撮影画像データを出力して、子機で自動的に撮影画像を表示する。図３は、撮影画像自動表示処理装置の親機と子機の接続の１例である。図のように親機７に複数台の子機８がＬＡＮ等で接続されている状態を示したもので、複数台の子機８の中から撮影オーダーを行った子機８のみに、自動的に最新の撮影画像が表示される。
【００１３】
以上のような撮影画像自動表示処理プログラムは、ＣＤ−ＲＯＭ等の記録媒体に記録されコンピュータシステムにインストールされて、コンピュータシステムにより実行される。
【００１４】
【発明の効果】
請求項１に係る発明によると、撮影画像自動表示処理方法により自動的に撮影オーダーを行った子機に最新画像が表示されるため、被検者の画像一覧から目的の画像を選択する必要がない。またチェアサイドで、すぐに被検者の最新画像を見ることができる。
【００１５】
請求項２に係る発明の撮影画像自動表示処理装置を使用すると、請求項１に係る発明を好適に実施することができ、撮影画像自動表示処理方法により自動的に撮影オーダーを行った子機に最新画像が表示されるため、被検者の画像一覧から目的の画像を選択する必要はない。
【００１６】
請求項３に係る発明の撮影画像自動表示処理プログラムを記録したコンピュータ読み取り可能な記録媒体は、請求項１に係る発明の撮影画像自動表示処理方法をコンピュータに実行させて、撮影画像自動表示処理方法により自動的に撮影オーダーを行った子機に最新画像が表示されるため、被検者の画像一覧から目的の画像を選択する必要はない。
【００１７】
【図面の簡単な説明】
【図１】本発明に係る撮影画像自動表示処理方法を実施するために使用される撮影画像自動表示処理装置のハードウェア構成の１例である。
【図２】本発明に係る撮影画像自動表示処理装置により、撮影画像自動表示処理プログラムを実行させて撮影画像自動表示処理を行う手順を説明するためのフローチャートの一部である。
【図３】本発明に係る撮影画像自動表示処理装置の親機と子機の接続の１例である。
【符号の説明】
１  中央処理装置（ＣＰＵ）
２  記憶装置
３  入出力制御部
４  入力装置
５  表示装置
６  出力装置
７  親機（ＰＣ）
８  子機（ＰＣ）
【図１】
2004320600.tif 000003
【図２】
2004320600.tif 000004
【図３】
2004320600.tif 000005